(57)【要約】【課題】ＡＶデータの高速再生や高速逆再生中に、ユーザが所望の場面を検知して再生指示した場合、所望の場面の視聴開始位置として適当な位置から正確に再生する。【解決手段】ＡＶデータ１０１の高速再生状態で、ユーザが再生を所望するＡＶデータ１１５を位置Ｘで検知して再生指示した際、再生指示位置１１０よりもＡＶデータ１０１の時間軸上で先頭に近い位置で、かつ、視聴開始に適当な区切り位置１０１ｄから再生を行なう。一方、ＡＶデータ１０１の高速逆再生状態の場合は、再生指示位置１１０よりもＡＶデータ１０１の時間軸上で先頭に遠いか又は近い位置で、かつ、視聴開始に適当な区切り位置１０１ｅ又は１０１ｄから再生を行なう。該区切り位置として、ＡＶデータ１０１に予め記録されている特定の位置、ＡＶデータ１０１の映像又は音声又は字幕の各データをもとに抽出した位置のいずれか１乃至複数を用いる。【選択図】        図２
2005025894.tif 000002
【特許請求の範囲】
【請求項１】
記録媒体に記録されたＡＶデータを再生するＡＶデータ再生方法において、前記ＡＶデータの高速再生状態から再生状態へ切り替える指示を行なう場合に、前記ＡＶデータの再生時間軸上で、前記指示がなされた時点での再生指示位置よりも先頭に近い位置にあって、かつ、再生情報を視聴し始める位置として適当である特定の区切り位置から開始させることを特徴とするＡＶデータ再生方法。
【請求項２】
記録媒体に記録されたＡＶデータを再生するＡＶデータ再生方法において、前記ＡＶデータの高速逆再生状態から再生状態へ切り替える指示を行なう場合に、前記ＡＶデータの再生時間軸上で、前記指示がなされた時点での再生指示位置よりも先頭に遠い位置あるいは先頭に近い位置にあって、かつ、再生情報を視聴し始める位置として適当である特定の区切り位置から再生を開始させることを特徴とするＡＶデータ再生方法。
【請求項３】
請求項２に記載のＡＶデータ再生方法において、前記再生を開始させる位置として、前記ＡＶデータの再生時間軸上で、前記指示がなされた時点での再生指示位置よりも先頭に近い位置とするか、あるいは、先頭に遠い位置とするかを選択して指定することができることを特徴とするＡＶデータ再生方法。
【請求項４】
請求項１乃至３のいずれかに記載のＡＶデータ再生方法において、前記特定の区切り位置は、前記ＡＶデータに予め記録されていることを特徴とするＡＶデータ再生方法。
【請求項５】
請求項１乃至３のいずれかに記載のＡＶデータ再生方法において、前記特定の区切り位置は、前記ＡＶデータを構成する映像データをもとに抽出される位置であることを特徴とするＡＶデータ再生方法。
【請求項６】
請求項１乃至３のいずれかに記載のＡＶデータ再生方法において、前記特定の区切り位置は、前記ＡＶデータを構成する音声データをもとに抽出される位置であることを特徴とするＡＶデータ再生方法。
【請求項７】
請求項１乃至３のいずれかに記載のＡＶデータ再生方法において、前記特定の区切り位置は、前記ＡＶデータを構成する字幕データをもとに抽出される位置であることを特徴とするＡＶデータ再生方法。
【請求項８】
請求項４乃至７のいずれかに記載のＡＶデータ再生方法において、前記特定の区切り位置は、前記予め記録されている特定の位置、前記ＡＶデータを構成する映像データをもとに抽出される位置、前記ＡＶデータを構成する音声データをもとに抽出される位置、前記ＡＶデータを構成する字幕データをもとに抽出される位置、のうち、いずれか１乃至複数種類の位置を組み合わせて用いることを特徴とするＡＶデータ再生方法。
【請求項９】
ＡＶデータを記録する記録媒体に記録するＡＶデータ記録方法において、再生情報を視聴し始める位置として適当である特定の区切り位置を、前記記録媒体に記録することを特徴とするＡＶデータ記録方法。
【請求項１０】
ＡＶデータを記録するＡＶデータ記録媒体において、再生情報を視聴し始める位置として適当である特定の区切り位置を記録していることを特徴とするＡＶデータ記録媒体。
【発明の詳細な説明】
【０００１】
【発明の属する技術分野】
本発明は、ＡＶデータ再生方法、ＡＶデータ記録方法、及び、ＡＶデータ記録媒体に関し、特に、映像データや音声データなどから構成されるＡＶデータを記録・再生するＡＶデータ記録・再生方法として、ＡＶデータの高速再生状態又は高速逆再生状態から再生状態への切り替えに関わるＡＶデータ再生方法、ＡＶデータ記録方法、及び、ＡＶデータ記録媒体に関する。
【０００２】
【従来の技術】
近年、ＤＶＤプレーヤなどＡＶデータを簡単に再生できるプレーヤが普及している。ユーザは、記録、再生、高速再生や高速逆再生などの操作を操作ボタンなどにより行なって、ＤＶＤに記録・再生するＡＶデータを自由に視聴することができる。
【０００３】
ＡＶデータの再生位置を検出する方法として、例えば、ＤＶＤに記録されているＡＶデータの内容を確認しながら、再生位置を検出する場合について考える。この場合、ユーザは、ＤＶＤの高速再生や高速逆再生の操作を行ない、再生したい位置に差し掛かったとき、再生指示の操作を行なう方法が考えられる。
しかしながら、かくのごとき操作をユーザが行なって、再生の指示がなされた時点におけるＡＶデータの再生指示位置が、必ずしもユーザが再生したい所望の再生位置となるとは限らない。例えば、ユーザが再生したい所望の再生位置を検索するために高速再生を行ない、ユーザが再生したい所望の位置を発見し、再生指示を行なった時点では既にユーザが所望する再生位置を過ぎてしまうことが考えられる。かくのごとき課題を解決するために、ユーザにより再生の指示がなされた時点におけるＡＶデータの再生位置から数秒前の再生位置まで戻って再生するという対応策が容易に想像できる。
【０００４】
しかし、前述のような再生方法では、再生を開始する位置は必ずしも視聴を開始しやすい再生位置になるとは限らない。例えば、音声の単語の途中で再生が始まる場合が生じる。かかる課題に対して、特許文献１に示す特開平９−５０２９４号公報「情報出力装置」のように、音声データを意味の判別できる情報、例えばテキスト形式で持ち、該テキスト情報を用いて再生を行なう方法であれば、該テキスト情報から適切な再生開始位置を抽出し、音声の単語の途中から再生が始まることを防止することが出来る。しかしながら、ＤＶＤなどのＡＶデータには音声データの意味を判別する情報は含まれない。そこで、特許文献２に示す特開平８−９０３９号公報「早送り巻き戻し機能付き音声再生装置」では、高速再生状態から再生状態に切り替える指示を受けると、無音区間などを利用して、言葉の切れ目を検出するまで高速再生状態を継続し、言葉の切れ目に差し掛かった時点で再生状態に切り替える方法が提案されている。しかしながら、上記方式では所望の再生位置を行き過ぎてしまう課題を解決していない。
【特許文献１】
特開平９−５０２９４号公報
【特許文献２】
特開平８−９０３９号公報
【０００５】
【発明が解決しようとする課題】
以上のごとく、従来の技術においては、高速再生状態又は高速逆再生状態から再生状態に切り替える場合、再生情報を視聴し始める位置として適当である位置から再生を開始することができないという問題を有している。
本発明は、かかる事情に鑑みてなされたものであり、高速再生状態又は高速逆再生状態から再生状態に切り替える場合、再生情報を視聴し始める位置として適当である特定の区切り位置から再生を開始させることを可能とすることを目的としている。
【０００６】
【課題を解決するための手段】
第１の技術手段は、記録媒体に記録されたＡＶデータを再生するＡＶデータ再生方法において、前記ＡＶデータの高速再生状態から再生状態へ切り替える指示を行なう場合に、前記ＡＶデータの再生時間軸上で、前記指示がなされた時点での再生指示位置よりも先頭に近い位置にあって、かつ、再生情報を視聴し始める位置として適当である特定の区切り位置から開始させるＡＶデータ再生方法とすることを特徴とする。
【０００７】
第２の技術手段は、記録媒体に記録されたＡＶデータを再生するＡＶデータ再生方法において、前記ＡＶデータの高速逆再生状態から再生状態へ切り替える指示を行なう場合に、前記ＡＶデータの再生時間軸上で、前記指示がなされた時点での再生指示位置よりも先頭に遠い位置あるいは先頭に近い位置にあって、かつ、再生情報を視聴し始める位置として適当である特定の区切り位置から再生を開始させるＡＶデータ再生方法とすることを特徴とする。
【０００８】
第３の技術手段は、前記第２の技術手段に記載のＡＶデータ再生方法において、前記再生を開始させる位置として、前記ＡＶデータの再生時間軸上で、前記指示がなされた時点での再生指示位置よりも先頭に近い位置とするか、あるいは、先頭に遠い位置とするかを選択して指定することができるＡＶデータ再生方法とすることを特徴とする。
【０００９】
第４の技術手段は、前記第１乃至第３の技術手段のいずれかに記載のＡＶデータ再生方法において、前記特定の区切り位置は、前記ＡＶデータに予め記録されているＡＶデータ再生方法とすることを特徴とする。
【００１０】
第５の技術手段は、前記第１乃至第３の技術手段のいずれかに記載のＡＶデータ再生方法において、前記特定の区切り位置は、前記ＡＶデータを構成する映像データをもとに抽出される位置であるＡＶデータ再生方法とすることを特徴とする。
【００１１】
第６の技術手段は、前記第１乃至第３の技術手段のいずれかに記載のＡＶデータ再生方法において、前記特定の区切り位置は、前記ＡＶデータを構成する音声データをもとに抽出される位置であるＡＶデータ再生方法とすることを特徴とする。
【００１２】
第７の技術手段は、前記第１乃至第３の技術手段のいずれかに記載のＡＶデータ再生方法において、前記特定の区切り位置は、前記ＡＶデータを構成する字幕データをもとに抽出される位置であるＡＶデータ再生方法とすることを特徴とする。
【００１３】
第８の技術手段は、前記第４乃至第７の技術手段のいずれかに記載のＡＶデータ再生方法において、前記特定の区切り位置は、前記予め記録されている特定の位置、前記ＡＶデータを構成する映像データをもとに抽出される位置、前記ＡＶデータを構成する音声データをもとに抽出される位置、前記ＡＶデータを構成する字幕データをもとに抽出される位置、のうち、いずれか１乃至複数種類の位置を組み合わせて用いるＡＶデータ再生方法とすることを特徴とする。
【００１４】
第９の技術手段は、ＡＶデータを記録する記録媒体に記録するＡＶデータ記録方法において、再生情報を視聴し始める位置として適当である特定の区切り位置を、前記記録媒体に記録するＡＶデータ記録方法とすることを特徴とする。
【００１５】
第１０の技術手段は、ＡＶデータを記録するＡＶデータ記録媒体において、再生情報を視聴し始める位置として適当である特定の区切り位置を記録しているＡＶデータ記録媒体とすることを特徴とする。
【００１６】
【発明の実施の形態】
以下に、本発明に係るＡＶデータ再生方法、ＡＶデータ記録方法、及び、ＡＶデータ記録媒体の実施例について図面を用いて説明する。
＜実施例１＞
まず、本発明に係るＡＶデータ再生方法、ＡＶデータ記録方法、及び、ＡＶデータ記録媒体に関する実施例１として、高速再生状態から再生状態に切り替える指示を行なうことにより所望の再生位置から再生を開始させる一例を図１、図２及び図３を用いて説明する。実施例１では、本発明に係るＡＶデータ再生方法をＡＶデータ再生装置に適用した場合を例にとって説明する。
ここに、図１は、本発明に係るＡＶデータ再生方法に基づいてＡＶデータを再生する動作の一例を説明するためのフローチャートであり、図２は、本発明に係るＡＶデータを再生する動作の一例を説明するための模式図である。図３は、後述するＡＶデータの区切り位置を示す情報の一例として、再生情報を視聴し始める位置として適当であるＡＶデータの特定の区切り位置を登録している管理テーブルの一例を示すテーブル構成図である。
【００１７】
図２に示す模式図を用いて、ＡＶデータ１０１のデータ構造をまず説明する。ここで、ＡＶデータ１０１は、例えば、映画コンテンツのように、映像データ、音声データ、字幕データなどから構成されており、特定の再生開始位置に区切り位置１０１ａ，区切り位置１０１ｂ，…，区切り位置１０１ｇと複数の区間で区切り位置が定義されている。区切り位置とは、該区切り位置から再生しても、違和感無くＡＶデータの視聴が可能な再生開始位置のことである。ただし、前記区切り位置とは、データとして明示されているものとは限らず、計算によって抽出されるものでも良い。ここで、時間軸によって示しているように、ＡＶデータ１０１は、時間軸上の先の方向に向かって、ＡＶデータ１１１，ＡＶデータ１１２，…，ＡＶデータ１１７と順次再生されるものであり、高速再生状態にある場合も、かかる再生順序に従って、高速に再生されていく。
【００１８】
ユーザがＡＶデータ１０１の途中から視聴したい場合、再生指示が送られた時点での再生指示位置よりも時間軸上で、先頭に近い方向にあるいずれかの区切り位置から再生すれば、区切りが良くない途中の場面から再生されてしまうようなことがない。即ち、高速再生状態あるいは高速逆再生状態から再生状態に切り替える操作を行なう場合、かかる区切り位置１０１ａ，１０１ｂ，…，１０１ｇを、ＡＶデータ１０１の途中から再生開始する際の再生開始位置として有効に利用することが望ましい。
【００１９】
次に、各区切り位置を、ＡＶデータ１０１の管理情報の一つとして予め記録しておく一例について、図３を用いて説明する。即ち、ＡＶデータ１０１のコンテンツ作成者は、当該ＡＶデータ１０１を作成する際に、例えば、当該ＡＶデータ１０１を管理する管理情報の一つとして、図３の管理テーブル１１に示すように、再生情報を視聴し始める位置として適当である各特定の区切り位置を記録することとする。なお、かかる区切り位置に関する情報は、独立したファイルとして記録されても良いし、当該ＡＶデータの一部として記録されても良い。
【００２０】
図３に示す管理テーブル１１の例では、各区切り位置を、当該ＡＶデータ１０１の先頭からの相対的な時刻情報として登録している例を示しており、当該ＡＶデータ１０１の途中から再生開始する際の再生開始位置として利用することができる。
【００２１】
なお、管理テーブル１１に登録する区切り位置を示す情報としては、図３に示すような当該ＡＶデータ１０１の先頭からの相対的な時刻情報のみに限定されるものではない。例えば、ＡＶデータ１０１が記録されているＡＶデータ記録媒体１０内の記録位置情報などであっても良く、ＡＶデータ１０１の各区切り位置が特定可能な情報であれば、いかなる情報を用いても良い。また、ＡＶデータがチャプターなどの単位を保持している場合は、このチャプターの単位を区切り位置に用いても良い。
【００２２】
また、管理テーブル１１の格納場所は、当該ＡＶデータ１０１が記録されているＡＶデータ記録媒体に限るものではなく、別個のＡＶデータ記録媒体であっても良いし、当該ＡＶデータ１０１が記録されているＡＶデータ記録媒体１０を装着して当該ＡＶデータを再生しようとするＡＶデータ再生装置に対して、他のＡＶデータ処理装置などから転送させて用いるような形態であっても良い。
【００２３】
また、図２に示す模式図において、白逆三角（▽）マークによって示している再生指示位置１１０とは、ユーザが、かかるＡＶデータを高速再生している状態において、再生状態への切り替えを指示し、ＡＶデータ再生装置がその指示を受けた時点の位置を示している。即ち、図２に示す模式図において、ユーザが高速再生状態で所望の再生場面を検索し、所望の再生場面を位置Ｘで見つけ、再生状態への切り替え指示を送った後、ＡＶデータ再生装置がその指示を受けた時点での位置を示している。
【００２４】
ここで、再生指示位置１１０の位置において再生指示がなされた場合、再生指示位置１１０の位置から直ちに再生させずに、再生指示がなされた再生指示位置１１０よりも、ＡＶデータ１０１の時間軸上で先頭に近い方向（即ち、図２の左方向）であって、かつ、再生指示位置１１０に最も近い位置にある区切り位置（図２の場合、区切り位置１０１ｄ）まで再生位置を移動して、当該区切り位置（図２の場合、区切り位置１０１ｄ）を再生開始位置として、ＡＶデータ１０１の順方向の再生を開始させることにより、再生を所望する位置（位置Ｘ）よりも時間軸上で先頭に近い方向にある適切な視聴開始位置に自動的に移動することが可能となる。かくのごとく、各区切り位置１０１ａ，１０１ｂ，…，１０１ｇは、ＡＶデータ１０１の途中から再生開始する際の再生開始位置として利用される。
【００２５】
ただし、前述の説明では、視聴開始位置を再生指示位置１１０に最も近い区切り位置１０１ｄとしたが、視聴性を考慮して定めたある程度の時間分、再生指示位置１１０から離れた区切り位置であっても良い。また、高速再生の倍速に応じて、前記ある程度の時間の値を変えるようにしても良い。さらに、前述の説明では、時間軸上で再生指示位置１１０よりも先頭に近い方向にある区切り位置から再生する場合を説明したが、これに限定されるものでなく、時間軸上で再生指示位置１１０よりも先頭に遠い方向にある区切り位置から再生を開始しても良い。
【００２６】
次に、図１に示すフローチャートを用いて、図２の模式図に示す状態を例にとって、高速再生状態から順方向に再生動作を開始させるまでの動作について、更に詳細に説明する。
なお、図１に示すフローチャートにおいては、高速再生状態から順方向の再生状態に切り替える動作について記載している。
図１のフローチャートは、ＡＶデータを高速再生することによってユーザが所望の再生位置を検索している状態から始まる（ステップＳ１０１）。
【００２７】
ＡＶデータ１０１の高速再生動作中に、ユーザから何らかの指示がなされたか否かを判定し（ステップＳ１０２）、何らの指示もなされていない場合（ステップＳ１０２のＮＯ）、高速再生動作を継続する。一方、ユーザから何らかの指示がなされていると判定された場合（ステップＳ１０２のＹＥＳ）、ユーザからの指示が再生指示であるか否かを判定する（ステップＳ１０３）。ユーザからの指示が再生指示以外であった場合（ステップＳ１０３のＮＯ）、ユーザから指示されている再生以外の所定の処理、例えば、ユーザから一時停止がなされていた場合には、ＡＶデータ１０１の高速再生動作を一時停止する処理を行ない（ステップＳ１０６）、本高速再生動作を終了する。
【００２８】
また、ステップＳ１０３において、ユーザからの指示が再生指示であったと判定された場合（ステップＳ１０３のＹＥＳ）、ユーザから再生の指示がなされたＡＶデータ１０１上の位置、即ち、図２に示す再生指示位置１１０を基準にＡＶデータ１０１の再生時間軸上の先頭に近い方向（即ち、図２の左方向）であって、かつ、再生指示位置１１０に最も近い区切り位置（図２の場合、区切り位置１０１ｄ）まで移動した後（ステップＳ１０４）、再生動作を開始させる（ステップＳ１０５）。このとき、区切り位置は時間軸上で所望の場面を検出した位置Ｘよりも先頭に近い方向であることが望ましい。
【００２９】
ただし、図１に関する前述した説明では、再生指示位置に最も近い区切り位置（図２の場合、区切り位置１０１ｄ）としたが、視聴性を考慮して定めたある程度の時間分、再生指示位置１１０から離れた区切り位置であっても良い。また、高速再生の倍速に応じて、前記ある程度の時間の値を変えるようにしても良い。さらに、前述の説明では、時間軸上で再生指示位置よりも先頭に近い方向にある区切り位置から再生する場合を説明したが、これに限定されるものでなく、時間軸上で再生指示位置よりも先頭に遠い方向にある区切り位置から再生を開始しても良い。
【００３０】
以上のごとく、ＡＶデータ１０１を高速再生状態から再生状態に切り替える場合に、たとえユーザの再生指示が遅れてしまった場合であっても、場面の途中からの不自然な再生をさせることがなく、ＡＶデータ１０１の作成者が予め設定していた区切り位置まで移動して、ＡＶデータ１０１のコンテンツとして区切りの良い位置から確実に再生させることができる。
【００３１】
＜実施例２＞
以上の実施例１は、ＡＶデータの高速再生状態から再生状態に切り替える場合のＡＶデータ再生動作について説明したが、次に、本発明に係るＡＶデータ再生方法、ＡＶデータ記録方法、及び、ＡＶデータ記録媒体に関する実施例２として、高速逆再生状態から再生状態に切り替える場合について、図４を用いて説明する。ここに、図４は、本発明に係るＡＶデータを再生する動作の図２とは異なる例を説明するための模式図であり、高速逆再生状態から再生状態に切り替える動作について説明している。
【００３２】
図４の模式図に示すＡＶデータ３０１の構成は、図２に示すＡＶデータ１０１の構成と同様に、特定の再生開始位置に区切り位置３０１ａ，区切り位置３０１ｂ，…，区切り位置３０１ｇと複数の区間で区切り位置が定義されている。各区切り位置の構成単位は、図２に示すＡＶデータ１０１の場合と同じ程度のサイズとされている場合を示している。また、図２に示した場合と同様に、時間軸によって示しているように、ＡＶデータ３０１は、時間軸上の先の方向に向かって、ＡＶデータ３１１，ＡＶデータ３１２，…，ＡＶデータ３１７と順次再生されるものであり、高速再生状態にある場合も、かかる再生順序に従って、高速に再生されていく。逆に、高速逆再生状態にある場合は、かかる再生順序とは逆方向即ち図４の左方向にＡＶデータ３１７，ＡＶデータ３１６，…，ＡＶデータ３１１と順次高速逆再生が行なわれる。
【００３３】
また、図４に示す模式図において、白逆三角（▽）マークによって示している再生指示位置３１０は、ユーザが、かかるＡＶデータを高速逆再生している状態において、再生状態への切り替えを指示し、ＡＶデータ再生装置がその指示を受けた時点の位置を示している。即ち、図４に示す模式図において、ユーザが高速逆再生状態で所望の再生場面を検索し、所望の再生場面を位置Ｘで見つけ、再生状態への切り替え指示を送った後、ＡＶデータ再生装置がその指示を受けた時点での位置を示している。
【００３４】
ここで、再生指示位置３１０の位置において再生指示がなされた場合、図２に示した高速再生状態から再生状態に切り替える場合と全く同様に、再生指示位置３１０の位置から直ちに再生させずに、再生指示がなされた再生指示位置３１０よりも、ＡＶデータ３０１の時間軸上で先頭に近い位置（即ち、図４の左方向）であって、かつ、再生指示位置３１０に最も近い位置にある区切り位置（図４の場合、区切り位置３０１ｄ）まで再生位置を移動して、当該区切り位置（図４の場合、区切り位置３０１ｄ）を再生開始位置として、ＡＶデータ３０１の順方向の再生を開始させることにより、再生を所望する位置（位置Ｘ）よりも時間軸上で先頭に近い方向にある適切な視聴開始位置に自動的に移動することが可能となる。かくのごとく、各区切り位置３０１ａ，３０１ｂ，…，３０１ｇは、ＡＶデータ３０１の途中から再生開始する際の再生開始位置として利用される。
【００３５】
ただし、前述の説明では、視聴開始位置を再生指示位置３１０に最も近い区切り位置３０１ｄとしたが、視聴性を考慮して定めたある程度の時間分、再生指示位置３１０から離れた区切り位置であっても良い。また、高速逆再生の倍速に応じて、前記ある程度の時間の値を変えるようにしても良い。さらに、前述の説明では、時間軸上で再生指示位置３１０よりも先頭に近い方向にある区切り位置から再生する場合を説明したが、これに限定されるものでなく、時間軸上で再生指示位置３１０よりも先頭に遠い方向にある区切り位置から再生を開始しても良い。
【００３６】
以上のごとく、ＡＶデータ３０１を高速逆再生状態から再生状態に切り替える場合に、たとえユーザの再生指示が遅れてしまった場合であっても、場面の途中からの不自然な再生をさせることがなく、ＡＶデータ３０１の作成者が予め設定していた区切り位置まで移動して、ＡＶデータ３０１のコンテンツとして区切りの良い位置から確実に再生させることができる。
【００３７】
＜実施例３＞
以上の実施例１及び実施例２において、再生開始位置として利用される区切り位置としては、前述したように、図３に示すような管理テーブル１１の管理情報（即ち、各シーンの相対的な開始時刻や開始位置など）を用いるか、あるいは、図２及び図４に示したように、予め記録されている特定の位置を用いる場合について説明したが、本発明に係るＡＶデータ再生方法、ＡＶデータ記録方法、及び、ＡＶデータ記録媒体は、かかる場合のみに限るものではない。
例えば、ＡＶデータを構成する映像データをもとに抽出された位置を用いても良い。即ち、かかる映像データをもとに抽出される位置の一例として、映像データのシーンチェンジなどを検出して、区切り位置としても良い。シーンチェンジの位置を検出する方法は、映像データの輝度レベルの変化量など、デジタルデータの場合には動きベクトルの変化量などをもとにする方法があり、これらの方法を用いることができる。
【００３８】
以上のごとく、映像データをもとに抽出された位置を区切り位置として用いることにより、特定の記号を予め付与して記録させたり、あるいは、管理テーブルを予め作成して記録したりすることが不要となると共に、例えば、映像データが不連続となるシーンチェンジの直前から再生されるようなこともなく、ユーザの視聴性が向上する。
【００３９】
＜実施例４＞
前述の実施例３においては、再生開始位置として利用される区切り位置として、ＡＶデータを構成する映像データをもとに抽出された位置を用いる場合を示したが、実施例３の変形として、ＡＶデータを構成する音声データをもとに抽出された位置を用いることとしても良い。
かかる音声データをもとに抽出される位置の一例として、前記特許文献２に示すように、例えば０．１秒以上の一定時間の間無音状態が継続する位置や、意味のない単語が存在する位置を区切り位置として利用しても良い。また、ＡＶデータの登場人物あるいはキャラクターの音声を認識して区切り位置としても良い。ＢＧＭのように、或るシーンが継続する経過時間の間、継続して出力されている音声データを検出し、該音声データの開始時刻と終了時刻とを区切り位置として利用するようにしても良い。
【００４０】
以上のごとく、音声データから抽出した情報を区切り位置として用いることにより、特定の記号を予め付与して記録させたり、あるいは、管理テーブルを予め作成して記録したりすることが不要となると共に、例えば、ＢＧＭの終了する直前から再生されるようなこともなく、ユーザの視聴性が向上する。
【００４１】
＜実施例５＞
前述の実施例３，４においては、再生開始位置として利用される区切り位置として、ＡＶデータを構成する映像データや音声データをもとに抽出された位置を用いる場合を示したが、実施例３，４の変形として、場合によっては、ＡＶデータを構成する字幕データをもとに抽出された位置を用いることとしても良い。
かかる字幕データをもとに抽出される位置の一例として、字幕データの画面切り替えのタイミング位置を検出し、該位置を区切り位置として利用するようにしても良い。
【００４２】
以上のごとく、字幕データをもとに抽出された情報を区切り位置として用いることにより、特定の記号を予め付与して記録させたり、あるいは、管理テーブルを予め作成して記録したりすることが不要となると共に、例えば、字幕と映像データや音声データとの同期が得られ、ユーザの視聴性が向上する。
【００４３】
＜実施例６＞
前述した各実施例においては、１個のＡＶデータに対して、再生開始位置として利用される区切り位置の種類として、区切り位置を示す管理情報を登録している管理テーブルを用いる場合、ＡＶデータに予め記録されている特定の位置を用いる場合、ＡＶデータを構成する映像データをもとに抽出された位置を用いる場合、ＡＶデータを構成する音声データをもとに抽出された位置を用いる場合、ＡＶデータを構成する字幕データをもとに抽出される位置を用いる場合、のうちいずれか１種類の位置を用いている場合を示したが、本発明に係るＡＶデータ再生方法、ＡＶデータ記録方法、及び、ＡＶデータ記録媒体は、かかる場合に限定されるものではない。
【００４４】
即ち、前述したような複数種類の区切り位置のうち、いずれか１乃至複数種類の区切り位置を１個のＡＶデータに対して用いるようにしても良い。
かかる１乃至複数種類の区切り位置の組み合わせの一例として、映像データをもとに抽出された区切り位置と音声データをもとに抽出された区切り位置との組み合わせを用いるようにしても良い。
【００４５】
以上のごとく、１個のＡＶデータに対して１乃至複数種類の区切り位置の組み合わせを用いることにより、再生開始位置として利用される区切り位置をより多く規定することが可能となり、例えば、映像データをもとに抽出された区切り位置と音声データをもとに抽出された区切り位置との組み合わせを区切り位置として利用すれば、再生開始位置の単位をより小さく刻むことが可能であり、再生単位の精度を向上させることができる。
【００４６】
【発明の効果】
本発明によれば、ＡＶデータを高速再生状態から再生状態に切り替える場合に、ユーザの再生指示が遅れた場合であっても、場面の途中からの不自然な再生をさせることがなく、ユーザが再生を所望する位置から、あるいは、ＡＶデータの作成者が設定したコンテンツの区切りの良い位置から再生させることができる。
【００４７】
本発明によれば、ＡＶデータを高速逆再生状態から再生状態に切り替える場合に、ユーザの再生指示が遅れた場合であっても、場面の途中からの不自然な再生をさせることがなく、ユーザが再生を所望する位置から、あるいは、ＡＶデータの作成者が設定したコンテンツの区切りの良い位置から再生させることができる。
【００４８】
本発明によれば、ＡＶデータを構成する映像データをもとに再生開始位置を抽出可能であり、例えば、シーンチェンジの直前から再生されることがなくなるなどユーザの視聴性を向上させることができる。
【００４９】
本発明によれば、ＡＶデータを構成する音声データをもとに再生開始位置を抽出可能であり、例えば、ＢＧＭの終了する直前から再生されることがなくなるなどユーザの視聴性を向上させることができる。
【００５０】
本発明によれば、ＡＶデータを構成する字幕データをもとに再生開始位置を抽出可能であり、字幕と映像データや音声データとの同期が得られ、ユーザの視聴性を向上させることができる。
【００５１】
本発明によれば、１個のＡＶデータに対して１乃至複数種類の区切り位置の組み合わせを再生開始位置として用いることが可能であり、再生開始位置の単位をより小さく刻むことができるので、再生単位の精度を向上させることができる。
【図面の簡単な説明】
【図１】本発明に係るＡＶデータ再生方法に基づいてＡＶデータを再生する動作の一例を説明するためのフローチャートである。
【図２】本発明に係るＡＶデータ記録方法によりＡＶデータ記録媒体に記録されているＡＶデータを再生する動作の一例を説明するための模式図である。
【図３】再生情報を視聴し始める位置として適当であるＡＶデータの特定の区切り位置を登録している管理テーブルの一例を示すテーブル構成図である。
【図４】本発明に係るＡＶデータ記録方法によりＡＶデータ記録媒体に記録されているＡＶデータを再生する動作の図２とは異なる例を説明するための模式図である。
【符号の説明】
１０…ＡＶデータ記録媒体、１１…管理テーブル、１０１…ＡＶデータ、１０１ａ，１０１ｂ，〜，１０１ｇ…区切り位置、１１０…再生指示位置、１１１，１１２，〜，１１７…ＡＶデータ、３０１…ＡＶデータ、３０１ａ，３０１ｂ，〜，３０１ｇ…区切り位置、３１０…再生指示位置、３１１，３１２，〜，３１７…ＡＶデータ。
【図１】
2005025894.tif 000003
【図２】
2005025894.tif 000004
【図３】
2005025894.tif 000005
【図４】
2005025894.tif 000006